(57)【特許請求の範囲】
【請求項１】
間隔をあけて並べられる複数のメインバーと、それらメインバーを、それらメインバーの端で連ねるエンドバーとを備え、
前記エンドバーは、前記メインバーの端面と向き合うエンドバー本体と、そのエンドバー本体の上端部から曲げられて、前記メインバー間の各々に嵌まる上側曲げ片と、前記エンドバー本体の下端部から曲げられて、前記メインバー間の各々に嵌まる下側曲げ片とを有し、
前記メインバーは、前記下側曲げ片を越えて下方に延びていることを特徴とするグレーチング。
【請求項２】
前記上側曲げ片は、前記エンドバー本体の上端部から延設される折り返し部からなり、前記下側曲げ片は、前記エンドバー本体の下端部から延設される折り返し部からなることを特徴とする、請求項１に記載グレーチング。
【発明の詳細な説明】
【技術分野】
【０００１】
この発明は、側溝とか桝等の排水設備、その他の場所に用いられるグレーチングに関するものである。
【背景技術】
【０００２】
従来、グレーチングは、一般に、板状のメインバー（ベアリングバー）と、それらメインバーを端で連ねる板状のエンドバーと、メインバーに直交するように配置される棒状の補助バー（ツイストバー）とを備えていた（例えば、非特許文献１参照）。そして、グレーチングを構成するメインバーとエンドバーとは、メインバーの端面にエンドバーの側面が突き当てられて、溶接により接続されていた。
【０００３】
【非特許文献１】株式会社宝機材（カタログ）「タカラグレーチング（Ｖｏｌ．１）」２００４年４月，ｐ３８
【発明の開示】
【発明が解決しようとする課題】
【０００４】
ところで、前記従来のグレーチングにあっては、例えば、そのグレーチング上を車両等が通過した場合等であっても、メインバーが倒れないようにするために、メインバーとエンドバーとの溶接強度が十分な大きさとなるよう、細心の注意を払う必要があった。
【０００５】
この発明は、上記した従来の欠点を解決するためになされたものであり、その目的とするところは、メインバーの倒れを容易に防止することができるグレーチングを提供することにある。
【課題を解決するための手段】
【０００６】
この発明に係るグレーチングは、前記目的を達成するために、次の構成からなる。すなわち、
請求項１に記載の発明に係るグレーチングは、間隔をあけて並べられる複数のメインバーと、それらメインバーを、それらメインバーの端で連ねるエンドバーとを備える。そして、前記エンドバーは、前記メインバーの端面と向き合うエンドバー本体と、そのエンドバー本体の上端部から曲げられて、前記メインバー間の各々に嵌まる上側曲げ片と、前記エンドバー本体の下端部から曲げられて、前記メインバー間の各々に嵌まる下側曲げ片とを有する。ここにおいて、前記メインバーは、前記下側曲げ片を越えて下方に延びている。このグレーチングによると、エンドバーにおける上側曲げ片および下側曲げ片が、メインバー間に嵌まることで、メインバーは、起立した姿勢に保持される。
【０００７】
また、請求項２に記載の発明に係るグレーチングのように、請求項１に記載のグレーチングにおいて、前記上側曲げ片は、前記エンドバー本体の上端部から延設される折り返し部からなり、前記下側曲げ片は、前記エンドバー本体の下端部から延設される折り返し部からなってもよい。
【０００８】
【０００９】
【００１０】
【発明の効果】
【００１１】
この発明に係るグレーチングによれば、エンドバーにおける、メインバー間に嵌まる上側曲げ片および下側曲げ片により、メインバーが起立した姿勢に保持されるため、メインバーの倒れを容易に防止することができる。
【発明を実施するための最良の形態】
【００１２】
以下、この発明に係るグレーチングを実施するための最良の形態を図面に基づいて説明する。
【００１３】
図１〜図３は、第一の形態（参考形態）を示す。図中符号１は、側溝や横断溝等の排水溝とか桝とかの、排水設備となる排水ブロックである。２は、前記排水ブロック１に配備されるグレーチングである。
【００１４】
排水ブロック１は、両側に側壁１ａ、１ａを備え、それら側壁１ａ、１ａの上部には、グレーチング２が渡される蓋掛かり部１ｂ、１ｂが設けられている。
【００１５】
グレーチング２は、間隔をあけて並べられる複数のメインバー３、３と、それらメインバー３、３を、それらメインバー３、３の端で連ねるエンドバー４、４とを備える。詳細には、グレーチング２は、メインバー３、３とエンドバー４、４の他に、メインバー３、３に直交するように渡される補助バー５、５（例えば、ツイストバー）と、メインバー３、３の端部を下から支持するとともに排水ブロック１の蓋掛かり部１ｂ、１ｂに載るかさ上げ材６、６とを備えている。そして、グレーチング２を構成する各部材は、それぞれの接触部分において溶接により接合される。
【００１６】
ここで、エンドバー４は、板材からなり、メインバー３、３の端面と向き合うエンドバー本体４ａと、そのエンドバー本体４ａから曲げられて、メインバー３、３間の各々に嵌まる曲げ片４ｂ、４ｂとを有する。そして、曲げ片４ｂは、下方に向かうに連れてエンドバー本体４ａから離れる傾斜部４ｃを有する。詳細には、エンドバー４は、エンドバー本体４ａの上端部から折り返される、前記曲げ片４ｂとしての上側曲げ片４１０を有し、その上側曲げ片４１０は、エンドバー本体４ａの上端部から延設される折り返し部４ｄと、その折り返し部４ｄに続く前記傾斜部４ｃとを有する。この傾斜部４ｃは、かさ上げ材６の内側端の上方に至るまで延びている。そして、上側曲げ片４１０は、断面Ｉ字形状をしたメインバー３、３間の各々に、上下の膨大部３ａ、３ａ部分でぴったりと嵌まるようになっている。
【００１７】
次に、以上の構成からなるグレーチング２の作用効果について説明する。このグレーチング２によると、エンドバー４における上側曲げ片４１０、４１０（曲げ片４ｂ、４ｂ）が、メインバー３、３間に嵌まることで、メインバー３、３は、起立した姿勢に保持される。そして、このように、メインバー３が、エンドバー４の上側曲げ片４１０（曲げ片４ｂ）によって起立した姿勢に保持されるため、メインバー３の倒れを容易に防止することができる。また、エンドバー４の上側曲げ片４１０（曲げ片４ｂ）が傾斜部４ｃを有することで、雨水等の水は、傾斜部４ｃに沿ってグレーチング２下に落下する。このため、その排水効率を高めることができる。さらに、砂や泥等においても、この傾斜部４ｃに沿ってグレーチング２下に落下する。したがって、グレーチング２に設けられたかさ上げ材６の上に、砂や泥等が溜るのを低減または避けることができる。
【００１８】
図４および図５は、第二の形態（参考形態）を示す。この形態に示すグレーチング２は、第一の形態（図１〜図３）に示すグレーチング２とは、エンドバー４における曲げ片４ｂの形状が異なるが、他は同様であり、以下に、同様の機能を有する部分には同一の符号を付して、異なる部分を主に説明する。
【００１９】
このグレーチング２は、第一の形態に示すグレーチング２と同様に、メインバー３、３と、エンドバー４、４と、補助バー５、５と、かさ上げ材６、６とを備えている。ここで、エンドバー４においては、メインバー３、３の端面と向き合うエンドバー本体４ａと、そのエンドバー本体４ａの上端部から曲げられて（詳細には、折り返されて）、メインバー３、３間の各々に嵌まる、曲げ片４ｂ、４ｂとしての上側曲げ片４１０、４１０とを有する。そして、上側曲げ片４１０は、エンドバー本体４ａの上端部から延設される折り返し部４ｄと、その折り返し部４ｄに続いてほぼ真下に（図示形態においては、若干エンドバー本体４ａ側に向くようにして）下がる降下部４ｅと、その降下部４ｅに続く傾斜部４ｃ（すなわち、下方に向かうに連れてエンドバー本体４ａから離れる傾斜部）とを有する。この傾斜部４ｃは、かさ上げ材６の内側端の上方に至るまで延びている。そして、上側曲げ片４１０は、断面Ｉ字形状をしたメインバー３、３間の各々に、上下の膨大部３ａ、３ａ部分でぴったりと嵌まるようになっている。そこで、このグレーチング２においても、第一の形態に示すグレーチング２と同様の作用効果を奏する。
【００２０】
図６および図７は、第三の形態（参考形態）を示す。この形態に示すグレーチング２は、第一の形態に示すグレーチング２とは、エンドバー４における曲げ片４ｂの形状が異なるが、他は同様であり、以下に、同様の機能を有する部分には同一の符号を付して、異なる部分を主に説明する。
【００２１】
このグレーチング２は、第一の形態に示すグレーチング２と同様に、メインバー３、３と、エンドバー４、４と、補助バー５、５と、かさ上げ材６、６とを備えている。ここで、エンドバー４においては、メインバー３、３の端面と向き合うエンドバー本体４ａと、そのエンドバー本体４ａの上端部から曲げられて（詳細には、折り返されて）、メインバー３、３間の各々に嵌まる、曲げ片４ｂ、４ｂとしての上側曲げ片４１０、４１０とを有する。そして、上側曲げ片４１０は、エンドバー本体４ａの上端部から延設される折り返し部４ｄと、その折り返し部４ｄに続いてほぼ真下に（図示形態においては、若干エンドバー本体４ａ側に向くようにして）下がる降下部４ｅとを有する。この降下部４ｅは、エンドバー本体４ａの下端に至るまで延びている。そして、上側曲げ片４１０は、断面Ｉ字形状をしたメインバー３、３間の各々に、上下の膨大部３ａ、３ａ部分でぴったりと嵌まるようになっている。
【００２２】
このグレーチング２によると、エンドバー４における上側曲げ片４１０、４１０が、メインバー３、３間に嵌まることで、メインバー３、３は、起立した姿勢に保持される。そして、このように、メインバー３が、エンドバー４の上側曲げ片４１０（曲げ片４ｂ）によって起立した姿勢に保持されるため、メインバー３の倒れを容易に防止することができる。
【００２３】
図８および図９は、第四の形態を示し、図８は、参考形態であり、図９は、本発明の実施の形態である。この形態に示すグレーチング２は、第一の形態に示すグレーチング２とは、エンドバー４における曲げ片４ｂの形状が異なるが、他は同様であり、以下に、同様の機能を有する部分には同一の符号を付して、異なる部分を主に説明する。
【００２４】
このグレーチング２は、第一の形態に示すグレーチング２と同様に、メインバー３、３と、エンドバー４、４と、補助バー５、５と、かさ上げ材６、６とを備えている。ここで、エンドバー４においては、メインバー３、３の端面と向き合うエンドバー本体４ａと、そのエンドバー本体４ａの上端部から曲げられて（詳細には、折り返されて）、メインバー３、３間の各々に嵌まる、曲げ片４ｂ、４ｂとしての上側曲げ片４１０、４１０と、エンドバー本体４ａの下端部から曲げられて（詳細には、折り返されて）、メインバー３、３間の各々に嵌まる、曲げ片４ｂ、４ｂとしての下側曲げ片４２０、４２０とを有する。そして、上側曲げ片４１０は、エンドバー本体４ａの上端部から延設される折り返し部４ｄからなり、この折り返し部４ｄが、断面Ｉ字形状をしたメインバー３の、上部の膨大部３ａ、３ａ間の各々に、ぴったりと嵌まるようになっている。同様に、下側曲げ片４２０は、エンドバー本体４ａの下端部から延設される折り返し部４ｄからなり、この折り返し部４ｄが、断面Ｉ字形状をしたメインバー３の、下部の膨大部３ａ、３ａ間の各々に、ぴったりと嵌まるようになっている。なお、図９は、メインバー３、３が、下側曲げ片４２０、４２０を越えて下方に延びている実施の形態を示す。
【００２５】
このグレーチング２によると、エンドバー４における上側曲げ片４１０、４１０および下側曲げ片４２０、４２０が、メインバー３、３間に嵌まることで、メインバー３、３は、起立した姿勢に保持される。そして、このように、メインバー３が、エンドバー４の上側および下側曲げ片４１０、４２０（曲げ片４ｂ）によって起立した姿勢に保持されるため、メインバー３の倒れを容易に防止することができる。
【００２６】
図１０および図１１は、第五の形態（参考形態）を示す。この形態に示すグレーチング２は、第一の形態に示すグレーチング２とは、エンドバー４における曲げ片４ｂの形状が異なるが、他は同様であり、以下に、同様の機能を有する部分には同一の符号を付して、異なる部分を主に説明する。
【００２７】
このグレーチング２は、第一の形態に示すグレーチング２と同様に、メインバー３、３と、エンドバー４、４と、補助バー５、５と、かさ上げ材６、６とを備えている。ここで、エンドバー４においては、メインバー３、３の端面と向き合うエンドバー本体４ａと、そのエンドバー本体４ａの上下端を除く中間高さから、切り起こされるように曲げられて、メインバー３、３間の各々に嵌まる、曲げ片４ｂ、４ｂとしての中間曲げ片４３０、４３０とを有する。そして、この中間曲げ片４３０は、下側および左右がエンドバー本体４ａから切り離され、エンドバー本体４ａに繋がる上側で曲げられて、下方に向かうに連れてエンドバー本体４ａから離れる傾斜部４ｃとなっている。そこで、このグレーチング２においても、第一の形態に示すグレーチング２と同様の作用効果を奏する。なお、中間曲げ片４３０は、メインバー３、３間において、上下方向に複数個設けられても構わない。
【００２８】
図１２〜図１４は、第六の形態（参考形態）を示す。この形態に示すグレーチング２は、第一の形態に示すグレーチング２とは、かさ上げ材６に替えて底板７を備える点が異なるが、他はほぼ同様であり、以下に、同様の機能を有する部分には同一の符号を付して、異なる部分を主に説明する。
【００２９】
このグレーチング２は、メインバー３、３と、エンドバー４、４と、補助バー５、５と、底板７、７とを備えている。ここで、底板７は、メインバー３、３の端部を下から支持するとともに、排水ブロック１の蓋掛かり部１ｂに、直接、あるいは受枠（図示せず）を介して載るものである。そして、底板７には、排水ブロック１への取り付けのための取付孔７ａ、７ａが明けられている。エンドバー４は、メインバー３、３の端面と向き合うエンドバー本体４ａと、そのエンドバー本体４ａの上端部から曲げられて（詳細には、折り返されて）、メインバー３、３間の各々に嵌まる、曲げ片４ｂ、４ｂとしての上側曲げ片４１０、４１０とを有する。ここで、上側曲げ片４１０としては、第１の上側曲げ片４１１と第２の上側曲げ片４１２とが設けられている。第１の上側曲げ片４１１は、第一の形態に示す上側曲げ片４１０と同様であって、エンドバー本体４ａの上端部から延設される折り返し部４ｄと、その折り返し部４ｄに続く傾斜部４ｃ（すなわち、下方に向かうに連れてエンドバー本体４ａから離れる傾斜部）とを有する。この傾斜部４ｃは、底板７の内側端付近の上方に至るまで延びている。そして、第１の上側曲げ片４１１は、断面Ｉ字形状をしたメインバー３、３間の各々に、上下の膨大部３ａ、３ａ部分でぴったりと嵌まるようになっている。また、第２の上側曲げ片４１２は、第四の形態に示す上側曲げ片４１０と同様であって、エンドバー本体４ａの上端部から延設される折り返し部４ｄからなる。
【００３０】
このグレーチング２によると、エンドバー４における第１の上側曲げ片４１１、４１１および第２の上側曲げ片４１２、４１２が、メインバー３、３間に嵌まることで、メインバー３、３は、起立した姿勢に保持される。そして、このように、メインバー３が、エンドバー４の第１および第２の上側曲げ片４１１、４１２（曲げ片４ｂ）によって起立した姿勢に保持されるため、メインバー３の倒れを容易に防止することができる。また、エンドバー４の第１の上側曲げ片４１１が傾斜部４ｃを有することで、雨水等の水は、傾斜部４ｃに沿ってグレーチング２下に落下する。このため、その排水効率を高めることができる。さらに、砂や泥等においても、この傾斜部４ｃに沿ってグレーチング２下に落下する。したがって、グレーチング２に設けられた底板７の上に、砂や泥等が溜るのを低減または避けることができる。
【００３１】
図１５は、第七の形態（参考形態）を示す。この形態に示すグレーチング２は、第二の形態に示すグレーチング２とは、かさ上げ材６が設けられていない点が異なるが、他は同様であり、以下に、同様の機能を有する部分には同一の符号を付して、異なる部分を主に説明する。
【００３２】
このグレーチング２は、メインバー３、３と、エンドバー４、４と、補助バー５、５とを備えている。ここで、エンドバー４においては、メインバー３、３の端面と向き合うエンドバー本体４ａと、そのエンドバー本体４ａの上端部から曲げられて（詳細には、折り返されて）、メインバー３、３間の各々に嵌まる、曲げ片４ｂとしての上側曲げ片４１０とを有する。上側曲げ片４１０は、第二の形態と同様に、エンドバー本体４ａの上端部から延設される折り返し部４ｄと、その折り返し部４ｄに続いてほぼ真下に（図示形態においては、若干エンドバー本体４ａ側に向くようにして）下がる降下部４ｅと、その降下部４ｅに続く傾斜部４ｃ（すなわち、下方に向かうに連れてエンドバー本体４ａから離れる傾斜部）とを有する。そして、この傾斜部４ｃは、排水ブロック１における蓋掛かり部１ｂの内側端付近の上方に至るまで延びている。
【００３３】
このグレーチング２によると、エンドバー４における上側曲げ片４１０、４１０が、メインバー３、３間に嵌まることで、メインバー３、３は、起立した姿勢に保持される。そして、このように、メインバー３が、エンドバー４の上側曲げ片４１０（曲げ片４ｂ）によって起立した姿勢に保持されるため、メインバー３の倒れを容易に防止することができる。また、エンドバー４の上側曲げ片４１０が傾斜部４ｃを有することで、雨水等の水は、傾斜部４ｃに沿ってグレーチング２下に落下する。このため、その排水効率を高めることができる。さらに、砂や泥等においても、この傾斜部４ｃに沿ってグレーチング２下に落下する。したがって、グレーチング２が載る蓋掛かり部１ｂの上に、砂や泥等が溜るのを低減または避けることができる。
【００３４】
なお、上述した形態に対し、その他種々の変更が可能である。例えば、排水設備は、排水ブロック１からならなくとも、現場打設されるものであってもよい。また、グレーチング２は、排水設備に配備されるものでなくとも、床板とか階段の踏板を形成するものであってもよい。
【００３５】
また、第一〜第五の形態に示すグレーチング２には、かさ上げ材６が設けられているが、第六の形態に示すように、かさ上げ材６に替えて底板７を設けたり、第七の形態に示すように、かさ上げ材６を無くしても構わない。
【図面の簡単な説明】
【００３６】
【図１】グレーチングの第一の形態の、平面図である。
【図２】同じく、図１におけるＡ−Ａ線による断面図である。
【図３】同じく、要部斜視図であり、（ａ）は、エンドバーの一部、（ｂ）は、グレーチングの一部を示す。
【図４】グレーチングの第二の形態の、図２相当図である。
【図５】同じく、図３相当図である。
【図６】グレーチングの第三の形態の、図２相当図である。
【図７】同じく、図３相当図である。
【図８】グレーチングの第四の形態の、図２相当図である。
【図９】同じく、図３相当図である。
【図１０】グレーチングの第五の形態の、図２相当図である。
【図１１】同じく、図３相当図である。
【図１２】グレーチングの第六の形態の、平面図である。
【図１３】同じく、図１２におけるＢ−Ｂ線による断面図である。
【図１４】同じく、要部斜視図であり、（ａ）は、エンドバーの一部、（ｂ）は、グレーチングの一部を示す。
【図１５】グレーチングの第七の形態の、図１３相当図である。
【符号の説明】
【００３７】
２  グレーチング
３  メインバー
４  エンドバー
４ａ  エンドバー本体
４１０  上側曲げ片
４２０  下側曲げ片
４ｄ  折り返し部
【図１】
0004491437.tif 000002
【図２】
0004491437.tif 000003
【図３】
0004491437.tif 000004
【図４】
0004491437.tif 000005
【図５】
0004491437.tif 000006
【図６】
0004491437.tif 000007
【図７】
0004491437.tif 000008
【図８】
0004491437.tif 000009
【図９】
0004491437.tif 000010
【図１０】
0004491437.tif 000011
【図１１】
0004491437.tif 000012
【図１２】
0004491437.tif 000013
【図１３】
0004491437.tif 000014
【図１４】
0004491437.tif 000015
【図１５】
0004491437.tif 000016